(57)【要約】【課題】  本発明は、プロジェクターやパソコンなどの機器をケース本体と蓋体に収納でき、前記機器などの置き台としても利用することができる脚付収納ケースを提供する。【解決手段】  前記機器などを収納する収納スペースをそれぞれ設けたケース本体１と蓋体２を開閉可能に構成すると共に、前記ケース本体１と蓋体２のそれぞれの内部隅部１Ｃ、２Ｃに折畳み自在な脚５を設けて、前記ケース本体１と蓋体２を閉じた時、折畳んだ状態が外部から隠れる構成とし、前記ケース本体１と蓋体２を開いた時、足部３が対面側のそれぞれ一側縁部１Ａ、２Ａに接触することにより、前記ケース本体１と蓋体２を水平に保持し、前記ケース本体１と蓋体２を前記機器などの置き台としても利用することができ、段階的に伸縮可能な前記脚５により、前記機器などの置き台の高さと傾きを調整可能に構成する脚付収納ケース。【選択図】図１
2007296278.tif 000002
【特許請求の範囲】
【請求項１】
プロジェクターやパソコンなどの機器を収納する収納スペースをそれぞれ設けたケース本体と蓋体を、それぞれ一側縁部においてヒンジ機構を介して開閉可能に構成すると共に、一側縁部に設けたクッション性がある足部と他側縁部に設けた取手部を構成してなる脚付収納ケースにおいて、前記ケース本体と蓋体のそれぞれの内部隅部に折畳み自在な脚を設けて、前記ケース本体と蓋体を閉じた時、折畳んだ状態が外部から隠れる構成とし、前記ケース本体と蓋体を開いた時、前記足部が対面側のそれぞれ一側縁部に接触することにより、前記ケース本体と蓋体を水平に保持し、前記ケース本体と蓋体を前記機器などの置き台としても利用することができる構成としたことを特徴とする脚付収納ケース。
【請求項２】
前記ケース本体と蓋体の側面部に連結自在なケース固定金具を設けたことを特徴とする請求項１記載の脚付収納ケース。
【請求項３】
前記ケース本体と蓋体の内部隅部に設けた脚を段階的に伸縮可能とすることにより、前記機器などの置き台の高さと傾きを調整可能としたことを特徴とする請求項１または請求項２記載の脚付収納ケース。
【請求項４】
一対の脚を連結バーで一体化したことを特徴とする請求項１ないし請求項３記載のいずれか一つの脚付収納ケース。
【請求項５】
仕切壁により前記機器などを収納する収納スペースをそれぞれ前記ケース本体と蓋体に設けたことを特徴とする請求項１ないし請求項４記載のいずれか一つの脚付収納ケース。
【発明の詳細な説明】
【技術分野】
【０００１】    本発明は、機器を収納でき、置き台としても利用することができるアタッシュケースや鞄などの脚付収納ケースに関する。
【背景技術】
【０００２】    一般に市販されている持ち運びに便利なアタッシュケースや鞄などのケースは、あまり大きな寸法に製造できない。ゆえに、一般に市販されている持ち運びに便利なケースは、取手やポケットを有するほかには、ほとんどのものが他の付加機能を有していない。一般の人がケースを使用する過程で、ほとんどの場合、必要に応じて書類或いは手紙を書いたり、ノートパソコンを使用したり、報告の作業をしたり、更には軽食や飲料をとろうとしても、置き場所がないために相当不便な思いをしたり時間を浪費した。
特に報告の作業は目的地についてから緊急に処理しなければならない場合が多く、その報告の品質に影響を与えた。【０００３】    特許文献１のように、箱状のケース本体と蓋とで構成されるカメラ及びその付属品を収納して携帯するカメラ収納ケースにおいて、ケース本体の内部四隅に設けた中空の脚収納部を設け、脚収納部にケース本体の底面から下方に引き出し自在に脚部を収納して設け、ケース本体の底面に、脚部をケース本体底面から引き出した状態で保持するための脚保持機構を設けて、カメラ及びその付属品を収納する以外に他の用途として利用する脚付きカメラ収納ケースが知られている。【０００４】    また、特許文献２のように、旅行鞄の背面に折り畳み、展開可能なテーブルを設けて搭乗待ち時間やその他の必要時にそれを展開して文書を書くとか、ノートパソコンの操作、或いは軽食をとるのに利用できるようにした折り畳みテーブルを具えた旅行鞄が知られている。【０００５】
【特許文献１】  実用新案登録第３００３８４９号  公報
【特許文献２】  実用新案登録第３０７３２３９号  公報
【発明の開示】
【発明が解決しようとする課題】
【０００６】    しかしながら、特許文献１のような脚付きカメラ収納ケースにあっては、脚を折畳んでケースの中に収納することはできなかった。【０００７】    また、特許文献２のような折り畳みテーブルを具えた旅行鞄にあっては、テーブルの高さと傾きを調整することはできず、更にテーブルを別部品として具えなければならなかった。【０００８】    本発明は上記問題点を解消し、プロジェクターやパソコンなどの機器と折畳み自在かつ段階的に伸縮可能な脚をケース本体と蓋体に収納でき、前記機器などの置き台としても利用することができる脚付収納ケースを提供することを目的とする。
【課題を解決するための手段】
【０００９】    本発明の脚付収納ケースは、プロジェクターやパソコンなどの機器を収納する収納スペースをそれぞれ設けたケース本体と蓋体を、それぞれ一側縁部においてヒンジ機構を介して開閉可能に構成すると共に、一側縁部に設けたクッション性がある足部と他側縁部に設けた取手部を構成してなる脚付収納ケースにおいて、前記ケース本体と蓋体のそれぞれの内部隅部に折畳み自在な脚を設けて、前記ケース本体と蓋体を閉じた時、折畳んだ状態が外部から隠れる構成とし、前記ケース本体と蓋体を開いた時、前記足部が対面側のそれぞれ一側縁部に接触することにより、前記ケース本体と蓋体を水平に保持し、前記ケース本体と蓋体を前記機器などの置き台としても利用することができる構成としたことを特徴とする。【００１０】    更に、本発明の脚付収納ケースは、前記ケース本体と蓋体の側面部に連結自在なケース固定金具を設けたことを特徴とする。【００１１】    更に、本発明の脚付収納ケースは、前記ケース本体と蓋体の内部隅部に設けた脚を段階的に伸縮可能とすることにより、前記機器などの置き台の高さと傾きを調整可能としたことを特徴とする。【００１２】    更に、本発明の脚付収納ケースは、一対の脚を連結バーで一体化したことを特徴とする。【００１３】    更に、本発明の脚付収納ケースは、仕切壁により前記機器などを収納する収納スペースをそれぞれ前記ケース本体と蓋体に設けたことを特徴とする。
【発明の効果】
【００１４】    本発明の脚付収納ケースは、プロジェクターやパソコンなどの機器を収納する収納スペースをそれぞれ設けたケース本体と蓋体を、それぞれ一側縁部においてヒンジ機構を介して開閉可能に構成すると共に、一側縁部に設けたクッション性がある足部と他側縁部に設けた取手部を構成してなる脚付収納ケースにおいて、前記ケース本体と蓋体のそれぞれの内部隅部に折畳み自在な脚を設けて、前記ケース本体と蓋体を閉じた時、折畳んだ状態が外部から隠れる構成とし、前記ケース本体と蓋体を開いた時、前記足部が対面側のそれぞれ一側縁部に接触することにより、前記ケース本体と蓋体を水平に保持し、前記ケース本体と蓋体を前記機器などの置き台としても利用することができる構成としたことにより、前記機器などを前記ケース本体と蓋体に収納でき、前記機器などの置き台としても利用することができる。
【発明を実施するための最良の形態】
【００１５】    以下、本発明の実施の形態を図面に基づいて説明する。【００１６】    本発明の脚付収納ケースは、ケース本体１と蓋体２とはヒンジ機構１０により開蓋状態と閉蓋状態に利用するものである。前記ケース本体１においては、プロジェクターなどの重量機器を環状の仕切壁７に収納する収納スペースを設けてあり、折畳み自在かつ段階的に伸縮可能な脚５を収納するスペースも設けている。【００１７】    前記蓋体２においては、パソコンなどの重量機器を環状の仕切壁８に収納する収納スペースを設けてあり、折畳み自在かつ段階的に伸縮可能な脚５を収納するスペースも設けている。【００１８】    また、図１、図２、図３、図４及び図５に示されるように、ケース本体１の開閉端部の両側部と蓋体２のこれに対応する部分に、それぞれ係離可能なロック１２を設けている。【００１９】    また、図１、図２及び図６に示されるように、ケース本体１と蓋体２の開閉可能な内面端縁部１３にそれぞれ細溝と凸状を設けて、開閉時にこれらの細溝と凸状がそれぞれにズレなく嵌合するようにし、かつ機密性を高めている。【００２０】    図３及び図５に示されるように、一側縁部１Ａ、２Ａには合成ゴムやシリコンなどのクッション性がある材料でできたそれぞれ一対の足部３を設けてあり、従来のケースとしての足の役割の他に、ケース本体１と蓋体２を開いた時、前記足部３が対面側のそれぞれの前記足部３のない前記一側縁部１Ａ、２Ａに接触することにより、前記ケース本体１と蓋体２を水平に保持する役割も果たす。【００２１】    また、足部３の高さを半分にして、前記足部３同士が接触するように一側縁部１Ａ、２Ａに配置することにより、ケース本体１と蓋体２を水平に保持する役割を果たしても良いものとする。【００２２】    ケース本体１の他側縁部１Ｂには取手部４を設けてある。なお前記取手部４は蓋体２の他側縁部２Ｂに設けても良いものとする。【００２３】    図１、図２及び図４に示されるように、ケース本体１と蓋体２の内部隅部１Ｃ、２Ｃには脚５を設けてある。前記脚５は図１のように仕切壁７、８の外側に折畳んで倒して収納することができ、前記閉蓋状態にすることにより、折畳んだ状態が外部から隠れる構成とする。次に、図２のように前記脚５を起こして立て、更に例えば２段階に引き伸ばして図４のように３段階に伸ばした状態で保持する構成である。この場合、図示しないが脚５の伸ばす長さを調整することにより、置き台の高さと傾きを調整することができる。【００２４】    図１、図２、図３、図４及び図５に示されるように、ケース本体１の側面部１Ｄには支軸６Ａを設けて、蓋体２の側面部２Ｄには引っ掛けピン６Ｂを設けて、ケース本体１と蓋体２を水平に保持するような引っ掛け金具などのケース固定金具６を取付け、足部３を用いてケース本体１と蓋体２を水平に保持するにあたって、捩れやグラツキを抑制し、かつケース本体１と蓋体２を水平に保持することを確実にする。【００２５】    図１及び図２に示されるように、仕切壁７においては，プロジェクターなどの重量機器を収納することができ、かつ仕切壁７ごと取外すことも可能とする構成である。【００２６】    図１及び図２に示されるように、仕切壁８においては、パソコンなどの重量機器を収納することができ、かつパソコンなどの重量機器を押さえるように内面に布貼りを施したクッション蓋９を開閉自在に設け、その蓋はマジックテープなどで止める構成である。【００２７】    仕切壁７においては、ケース本体１側に収納されているプロジェクターなどの重量機器を収納することができ、かつ前記閉蓋状態にした時、外面にウレタンやスポンジなどクッション性のある素材を貼り付けたクッション蓋９により前記機器などが仕切壁７の中で動かないように固定する役割を果たす。【００２８】    図２に示されるように、一対の脚５には連結バー１１を設けてあり、前記一対の脚５の捩れやグラツキを抑制する役割を果たす。また、図２に示されるように、前記一対の脚５を起こして立てた状態から、図１に示されるように、前記一対の脚５を折畳んで倒して収納した状態にする場合、前記連結バー１１の中心付近にそれぞれケース本体１と蓋体２側へ力を加えることにより、前記一対の脚５を起こして立てた状態で容易に折畳まれないようにロックしてある状態を解除し、折畳んで倒して収納することができる。
【図面の簡単な説明】
【００２９】
【図１】  ケース本体と蓋体を開いた状態を示す斜視図である。
【図２】  ケース本体と蓋体を開いた状態より、脚を起こした状態を示す斜示図である。
【図３】  ケース本体と蓋体を開いた状態で、プロジェクターやパソコンなどの機器の置き台側の状態を示す図である。
【図４】  本発明実施例として、プロジェクターやパソコンなどの機器の置き台としての使用状態を示す図である。
【図５】  プロジェクターやパソコンなどの機器と、折畳み、かつ段階的に伸縮可能な脚を収納したケースの閉じた状態を示す図である。
【図６】  内面端縁部の断面拡大図である。
【符号の説明】
【００３０】１    ケース本体
１Ａ  一側縁部
１Ｂ  他側縁部
１Ｃ  内部隅部
１Ｄ  側面部
２    蓋体
２Ａ  一側縁部
２Ｂ  他側縁部
２Ｃ  内部隅部
２Ｄ  側面部
３    足部
４    取手部
５    脚
６    ケース固定金具
６Ａ  支軸
６Ｂ  引っ掛けピン
７    仕切壁
８    仕切壁
９    クッション蓋
１０  ヒンジ機構
１１  連結バー
１２  ロック
１３  内面端縁部
【図１】
2007296278.tif 000003
【図２】
2007296278.tif 000004
【図３】
2007296278.tif 000005
【図４】
2007296278.tif 000006
【図５】
2007296278.tif 000007
【図６】
2007296278.tif 000008